(57)【要約】【課題】本発明はポップアップ式パッキング箱を開示した。【解決手段】本発明はポップアップ式パッキング箱を開示し、箱を含み、前記箱の頂端には蓋が左右対称的に設置されており、前記箱の中には物置チャンバが設置されており、、前記物置チャンバの中にはポップアップ装置が設置されており、前記物置チャンバの両側壁の中には動力チャンバが対称的に設置されており、前記動力チャンバの中には力蓄え装置が設置されており、左側を例として詳しく説明する。【選択図】図１
2020152441.tif 000002
【特許請求の範囲】
【請求項１】
ポップアップ式パッキング箱であって、箱を含み、前記箱の頂端には蓋が左右対称的に設置されており、前記箱の中には物置チャンバが設置されており、、前記物置チャンバの中にはポップアップ装置が設置されており、前記物置チャンバの両側壁の中には動力チャンバが対称的に設置されており、前記動力チャンバの中には力蓄え装置が設置されており、左側を例として詳しく説する：前記物置チャンバの前壁にはてこチャンバが設置されており、前記てこチャンバの中には制御装置が設置されており、前記力蓄え装置は前記動力チャンバの中に設置される心棒を含み、前記心棒の後端と前記蓋とが固定的に接続され、前記心棒の前端にはメイン歯車が設置されており、前記動力チャンバの中には上軸が設置されており、前記上軸の後端には前記メイン歯車と噛み合う従動歯車が設置されており、前記上軸の前端にはメインプーリが設置されており、前記動力チャンバの中には下軸が設置されており、前記下軸の前端には従プーリが設置されており、前記従プーリと前記メインプーリの間にはベルトが伝動できるように設置されており、前記下軸の後端には前傘歯車が設置されており、前記動力チャンバの右壁の中には転換チャンバが設置されており、前記転換チャンバの中には同期軸が設置されており、前記同期軸の左端には前記前傘歯車と噛み合う後傘歯車が設置されており、前記同期軸の外壁には下歯車が設置されており、前記転換チャンバの中には右軸が設置されており、前記右軸の外壁には前記下歯車と噛み合う上歯車が設置されており、前記右軸と前記転換チャンバの内壁の間には力蓄え撥条が弾性的に設置されている。前記力蓄え装置は動力を位置エネルギーに転換して蓄えることができ、前記制御装置は前記ポップアップ装置の作業状態を制御し、前記力蓄え装置は前記蓋を閉じる機械的エネルギーを位置エネルギーに転換して蓄えることができることを特徴とするポップアップ式パッキング箱。
【請求項２】
前記ポップアップ装置は前記転換チャンバの左壁に設置される加速チャンバを含み、前記加速チャンバの中の前記右軸の左端には内リングギアが設置されており、前記加速チャンバの中には左軸が設置されており、前記左軸の右端には太陽歯車が設置されており、前記太陽歯車と前記内リングギアとの間には遊星歯車が伝動できるように設置されており、前記左軸の左端にはメイン傘歯車が設置されており、前記物置チャンバの中にはネジボルトが設置されており、前記ネジボルトの底端には前記メイン傘歯車と噛み合う従傘歯車が設置されており、前記物置チャンバの中には前記ネジボルトと係合される昇降板がスライドできるように設置され、
前記ポップアップ装置は前記ネジボルトの高度を制御できることを特徴とする請求項１に記載のポップアップ式パッキング箱。
【請求項３】
前記制御装置は前記右軸の外壁に設置されるラチェットを含み、前記転換チャンバの中には前記ラチェットと係合される歯止めが設置されており、前記歯止めと前記転換チャンバの頂壁との間には第一撥条が弾性的に設置されており、前記てこチャンバの中には連動棒がスライドできるように設置されており、前記連動棒と前記てこチャンバの前壁との間には第二撥条が弾性的に設置されており、前記連動棒と前記歯止めとの間が連動紐によって接続され、前記てこチャンバの中にはてこが設置されており、前記てこの底端には下スライド溝が設置されており、前記下スライド溝の中には下リンクが設置されており、前記リンクと前記下スライド溝の頂壁の間には第三撥条が弾性的に設置されており、前記下リンクと前記連動棒とヒンジで接続され、前記てこの頂端には上スライド溝が設置されており、前記上スライド溝の中には上リンクがスライドできるように設置されており、前記上リンクと前記上スライド溝の底壁との間には第四撥条が弾性的に設置されており、前記てこチャンバの前壁の中には押さえ溝が設置されており、前記押さえ溝の中にはボタンがスライドできるように設置されており、前記ボタンの後端には前記上リンクとヒンジで接続される横棒が設置されており、前記ボタンと前記押さえ溝の後壁との間には第五撥条が弾性的に設置され、
前記制御装置は前記力蓄え装置の位置エネルギーの解放と前記ポップアップ装置の作業状態を制御できることを特徴とする請求項１に記載のポップアップ式パッキング箱。
【発明の詳細な説明】
【技術分野】
【０００１】
本発明は物品包装分野を取り上げて、具体的にはポップアップ式パッキング箱である。
【背景技術】
【０００２】
パッキング箱は物品包装に使われ、日常生活には幅広く使われ、目前のパッキング箱には収納の機能しかなく、物品が自動的に飛び出せないため、物品を取るときには指をパッキング箱の中に差し込み、又はパッキング箱を反転させる必要があり、物品を取るのは面倒で、そのため、本発明の旨は物品を便利に取るパッキング箱を設計することである。
【先行技術文献】
【特許文献】
【０００３】
【特許文献１】中国特許出願公開第１０４４４３６２８号明細書
【発明の概要】
【発明が解決しようとする課題】
【０００４】
本発明の目的はポップアップ式パッキング箱を提供し、現有技術の上記の欠点を克服する。
【課題を解決するための手段】
【０００５】
本発明のポップアップ式パッキング箱は、箱を含み、前記箱の頂端には蓋が左右対称的に設置されており、前記箱の中には物置チャンバが設置されており、、前記物置チャンバの中にはポップアップ装置が設置されており、前記物置チャンバの両側壁の中には動力チャンバが対称的に設置されており、前記動力チャンバの中には力蓄え装置が設置されており、左側を例として詳しく説する：前記物置チャンバの前壁にはてこチャンバが設置されており、前記てこチャンバの中には制御装置が設置されており、前記力蓄え装置は前記動力チャンバの中に設置される心棒を含み、前記心棒の後端と前記蓋とが固定的に接続され、前記心棒の前端にはメイン歯車が設置されており、前記動力チャンバの中には上軸が設置されており、前記上軸の後端には前記メイン歯車と噛み合う従動歯車が設置されており、前記上軸の前端にはメインプーリが設置されており、前記動力チャンバの中には下軸が設置されており、前記下軸の前端には従プーリが設置されており、前記従プーリと前記メインプーリの間にはベルトが伝動できるように設置されており、前記下軸の後端には前傘歯車が設置されており、前記動力チャンバの右壁の中には転換チャンバが設置されており、前記転換チャンバの中には同期軸が設置されており、前記同期軸の左端には前記前傘歯車と噛み合う後傘歯車が設置されており、前記同期軸の外壁には下歯車が設置されており、前記転換チャンバの中には右軸が設置されており、前記右軸の外壁には前記下歯車と噛み合う上歯車が設置されており、前記右軸と前記転換チャンバの内壁の間には力蓄え撥条が弾性的に設置されている。前記力蓄え装置は動力を位置エネルギーに転換して蓄えることができ、前記制御装置は前記ポップアップ装置の作業状態を制御し、前記力蓄え装置は前記蓋を閉じる機械的エネルギーを位置エネルギーに転換して蓄えることができる。
【０００６】
更なる技術方案、前記ポップアップ装置は前記転換チャンバの左壁に設置される加速チャンバを含み、前記加速チャンバの中の前記右軸の左端には内リングギアが設置されており、前記加速チャンバの中には左軸が設置されており、前記左軸の右端には太陽歯車が設置されており、前記太陽歯車と前記内リングギアとの間には遊星歯車が伝動できるように設置されており、前記左軸の左端にはメイン傘歯車が設置されており、前記物置チャンバの中にはネジボルトが設置されており、前記ネジボルトの底端には前記メイン傘歯車と噛み合う従傘歯車が設置されており、前記物置チャンバの中には前記ネジボルトと係合される昇降板がスライドできるように設置され、
前記ポップアップ装置は前記ネジボルトの高度を制御できる。
【０００７】
更なる技術方案、前記制御装置は前記右軸の外壁に設置されるラチェットを含み、前記転換チャンバの中には前記ラチェットと係合される歯止めが設置されており、前記歯止めと前記転換チャンバの頂壁との間には第一撥条が弾性的に設置されており、前記てこチャンバの中には連動棒がスライドできるように設置されており、前記連動棒と前記てこチャンバの前壁との間には第二撥条が弾性的に設置されており、前記連動棒と前記歯止めとの間が連動紐によって接続され、前記てこチャンバの中にはてこが設置されており、前記てこの底端には下スライド溝が設置されており、前記下スライド溝の中には下リンクが設置されており、前記リンクと前記下スライド溝の頂壁の間には第三撥条が弾性的に設置されており、前記下リンクと前記連動棒とヒンジで接続され、前記てこの頂端には上スライド溝が設置されており、前記上スライド溝の中には上リンクがスライドできるように設置されており、前記上リンクと前記上スライド溝の底壁との間には第四撥条が弾性的に設置されており、前記てこチャンバの前壁の中には押さえ溝が設置されており、前記押さえ溝の中にはボタンがスライドできるように設置されており、前記ボタンの後端には前記上リンクとヒンジで接続される横棒が設置されており、前記ボタンと前記押さえ溝の後壁との間には第五撥条が弾性的に設置され、
前記制御装置は前記力蓄え装置の位置エネルギーの解放と前記ポップアップ装置の作業状態を制御できる。
【発明の効果】
【０００８】
本発明の有益な効果は下記の通りである：
【０００９】
本発明は結構が簡単で、操作に便利で、メンテナンスに便利で、生産に便利、且つこの設備は機械的エネルギーを位置エネルギーに転換させて蓄え、自動的に物品を飛び出させ、物品を便利に取り出し、だからこの設備は高い使用と広がる価値がある。
【図面の簡単な説明】
【００１０】
発明実施例或いは現有技術中の技術構想をもっとはっきり説明するため、以下は実施例或いは現有技術の描写に使用される付図に対して簡単なる紹介する。
【図１】図１は本発明のポップアップ式パッキング箱の全体構成模式図
【図２】図２は図１のＡ−Ａの構成模式図
【図３】図３は図１のＢの構成模式図
【図４】図４は図１のＣの構成模式図
【図５】図５は図１のＤの構成模式図
【図６】図６は図２のＥの構成模式図
【図７】図７は図２のＦの構成模式図
【発明を実施するための形態】
【００１１】
以下、上記の図について本発明を詳しく説明し、便利に叙述するように、現在は後文に出る方位を下記の通りに規定する：後文に出る上下左右前後方向は図１本体の投影関係の上下左右前後方向と一致する。
【００１２】
図１−７に示すように、本発明のポップアップ式パッキング箱は、箱１３を含み、前記箱１３の頂端には蓋１１が左右対称的に設置されており、前記箱１３の中には物置チャンバ１２が設置されており、、前記物置チャンバ１２の中にはポップアップ装置１００が設置されており、前記物置チャンバ１２の両側壁の中には動力チャンバ２１が対称的に設置されており、前記動力チャンバ２１の中には力蓄え装置２００が設置されており、左側を例として詳しく説する：前記物置チャンバ１２の前壁にはてこチャンバ４３が設置されており、前記てこチャンバ４３の中には制御装置３００が設置されており、前記力蓄え装置２００は前記動力チャンバ２１の中に設置される心棒１６を含み、前記心棒１６の後端と前記蓋１１とが固定的に接続され、前記心棒１６の前端にはメイン歯車１７が設置されており、前記動力チャンバ２１の中には上軸２０が設置されており、前記上軸２０の後端には前記メイン歯車１７と噛み合う従動歯車１８が設置されており、前記上軸２０の前端にはメインプーリ１９が設置されており、前記動力チャンバ２１の中には下軸２５が設置されており、前記下軸２５の前端には従プーリ２４が設置されており、前記従プーリ２４と前記メインプーリ１９の間にはベルト２２が伝動できるように設置されており、前記下軸２５の後端には前傘歯車２３が設置されており、前記動力チャンバ２１の右壁の中には転換チャンバ３９が設置されており、前記転換チャンバ３９の中には同期軸２７が設置されており、前記同期軸２７の左端には前記前傘歯車２３と噛み合う後傘歯車２６が設置されており、前記同期軸２７の外壁には下歯車４１が設置されており、前記転換チャンバ３９の中には右軸３２が設置されており、前記右軸３２の外壁には前記下歯車４１と噛み合う上歯車４０が設置されており、前記右軸２１と前記転換チャンバ３９の内壁の間には力蓄え撥条３６が弾性的に設置されている。前記力蓄え装置２００は動力を位置エネルギーに転換して蓄えることができ、前記制御装置３００は前記ポップアップ装置１００の作業状態を制御し、前記力蓄え装置２００は前記蓋１１を閉じる機械的エネルギーを位置エネルギーに転換して蓄えることができる。
【００１３】
有益なように、前記ポップアップ装置１００は前記転換チャンバ３９の左壁に設置される加速チャンバ２８を含み、前記加速チャンバ２８の中の前記右軸３２の左端には内リングギア２９が設置されており、前記加速チャンバ２８の中には左軸３３が設置されており、前記左軸３３の右端には太陽歯車３１が設置されており、前記太陽歯車３１と前記内リングギア２９との間には遊星歯車３０が伝動できるように設置されており、前記左軸３３の左端にはメイン傘歯車３４が設置されており、前記物置チャンバ１２の中にはネジボルト１４が設置されており、前記ネジボルト１４の底端には前記メイン傘歯車３４と噛み合う従傘歯車３５が設置されており、前記物置チャンバ１２の中には前記ネジボルト１４と係合される昇降板１５がスライドできるように設置され、
前記ポップアップ装置１００は前記ネジボルト１４の高度を制御できる。
【００１４】
有益なように、前記制御装置３００は前記右軸３２の外壁に設置されるラチェット３７を含み、前記転換チャンバ３９の中には前記ラチェット３７と係合される歯止め３８が設置されており、前記歯止め３８と前記転換チャンバ３９の頂壁との間には第一撥条４９が弾性的に設置されており、前記てこチャンバ４３の中には連動棒４２がスライドできるように設置されており、前記連動棒４２と前記てこチャンバ４３の前壁との間には第二撥条５７が弾性的に設置されており、前記連動棒４２と前記歯止め３８との間が連動紐４８によって接続され、前記てこチャンバ４３の中にはてこ４５が設置されており、前記てこ４５の底端には下スライド溝４６が設置されており、前記下スライド溝４６の中には下リンク４４が設置されており、前記リンク４４と前記下スライド溝４６の頂壁の間には第三撥条４７が弾性的に設置されており、前記下リンク４４と前記連動棒４２とヒンジで接続され、前記てこ４５の頂端には上スライド溝５０が設置されており、前記上スライド溝５０の中には上リンク５６がスライドできるように設置されており、前記上リンク５６と前記上スライド溝５０の底壁との間には第四撥条５１が弾性的に設置されており、前記てこチャンバ４３の前壁の中には押さえ溝５４が設置されており、前記押さえ溝５４の中にはボタン５５がスライドできるように設置されており、前記ボタン５５の後端には前記上リンク５６とヒンジで接続される横棒５２が設置されており、前記ボタン５５と前記押さえ溝５４の後壁との間には第五撥条５３が弾性的に設置され、
前記制御装置３００は前記力蓄え装置２００の位置エネルギーの解放と前記ポップアップ装置１００の作業状態を制御できる。
【００１５】
初期状態の時、左右両側の蓋１１が係合され、蓋１１とボタン５５とが係合され、力蓄え撥条３６の位置エネルギーが解放されていない。
【００１６】
物品を取り出す時、ボタン５５を押し動かして後ろへスライドさせ、更に第五撥条５３と、上リンク５６と、てこ４５と、下リンク４４と、連動棒４２と、連動紐４８によって歯止め３８を上へスライド連動させてラチェット３７との係合から離脱させ、力蓄え撥条３６の位置エネルギーが解放し右軸３２を回転連動させ、右軸３２は上歯車４０と、下歯車４１と、同期軸２７と、後傘歯車２６と、前傘歯車２３と、下軸２５と、従プーリ２４と、メインプーリ１９と、上軸２０と、従歯車１８と、メイン歯車１７と、心棒１６によって蓋１１を回転連動させ、左右両側の蓋１１が係合から離脱し、パッキング箱が開き、同時に、右軸３２は内リンクギア２９と、遊星歯車３０と、太陽歯車３１と、左軸３３と、メイン傘歯車３４と、従傘歯車３５と、ネジボルト１４とによって昇降板１５を上へスライド連動させ、パッキング箱に置かれる物品を伸び出す；物品を収納するとき、蓋１１を回転させて心棒１６を回転連動させ、メイン歯車１７と、従歯車１８と、上軸２０と、メインプーリ１９と、従プーリ２４と、下軸２５と、前傘歯車２３と、後傘歯車２６と、同期軸２７下歯車４１と、上歯車４０と、右軸３２と、内リングギア２９と、遊星歯車３０と、太陽歯車３１と、左軸３３と、メイン傘歯車３４と、従傘歯車３５と、ネジボルト１４によって昇降板１５を下へスライド連動させ、同時に、力蓄え撥条３６の弾性位置エネルギーを増やし、左右両側の蓋１１が係合され、パッキング箱が閉まる。
【００１７】
以上は、発明の具体実施方式だけであり、ところが、発明の保護範囲はこれには限らない、創造性労働のない考えた変化や入替えは、発明の保護範囲の中に含むべき、だから、発明の保護範囲は特許文献が限定する保護範囲に准するべきである。
【図１】
2020152441.tif 000003
【図２】
2020152441.tif 000004
【図３】
2020152441.tif 000005
【図４】
2020152441.tif 000006
【図５】
2020152441.tif 000007
【図６】
2020152441.tif 000008
【図７】
2020152441.tif 000009
【手続補正書】
【提出日】令和1年7月14日(2019.7.14)
【手続補正１】
【補正対象書類名】特許請求の範囲
【補正対象項目名】全文
【補正方法】変更
【補正の内容】
【特許請求の範囲】
【請求項１】
ポップアップ式パッキング箱であって、箱を含み、前記箱の頂端には蓋が左右対称的に設置されており、前記箱の中には物置チャンバが設置されており、前記物置チャンバの中にはポップアップ装置が設置されており、前記物置チャンバの両側壁の中には動力チャンバが対称的に設置されており、前記動力チャンバの中には力蓄え装置が設置されており、左側を例として詳しく説する：前記物置チャンバの前壁にはてこチャンバが設置されており、前記てこチャンバの中には制御装置が設置されており、前記力蓄え装置は前記動力チャンバの中に設置される心棒を含み、前記心棒の後端と前記蓋とが固定的に接続され、前記心棒の前端にはメイン歯車が設置されており、前記動力チャンバの中には上軸が設置されており、前記上軸の後端には前記メイン歯車と噛み合う従動歯車が設置されており、前記上軸の前端にはメインプーリが設置されており、前記動力チャンバの中には下軸が設置されており、前記下軸の前端には従プーリが設置されており、前記従プーリと前記メインプーリの間にはベルトが伝動できるように設置されており、前記下軸の後端には前傘歯車が設置されており、前記動力チャンバの右壁の中には転換チャンバが設置されており、前記転換チャンバの中には同期軸が設置されており、前記同期軸の左端には前記前傘歯車と噛み合う後傘歯車が設置されており、前記同期軸の外壁には下歯車が設置されており、前記転換チャンバの中には右軸が設置されており、前記右軸の外壁には前記下歯車と噛み合う上歯車が設置されており、前記右軸と前記転換チャンバの内壁の間には力蓄え撥条が弾性的に設置されており、
前記ポップアップ装置は前記転換チャンバの左壁に設置される加速チャンバを含み、前記加速チャンバの中の前記右軸の左端には内リングギアが設置されており、前記加速チャンバの中には左軸が設置されており、前記左軸の右端には太陽歯車が設置されており、前記太陽歯車と前記内リングギアとの間には遊星歯車が伝動できるように設置されており、前記左軸の左端にはメイン傘歯車が設置されており、前記物置チャンバの中にはネジボルトが設置されており、前記ネジボルトの底端には前記メイン傘歯車と噛み合う従傘歯車が設置されており、前記物置チャンバの中には前記ネジボルトと係合される昇降板がスライドできるように設置されることを特徴とするポップアップ式パッキング箱。
【請求項２】
前記制御装置は前記右軸の外壁に設置されるラチェットを含み、前記転換チャンバの中には前記ラチェットと係合される歯止めが設置されており、前記歯止めと前記転換チャンバの頂壁との間には第一撥条が弾性的に設置されており、前記てこチャンバの中には連動棒がスライドできるように設置されており、前記連動棒と前記てこチャンバの前壁との間には第二撥条が弾性的に設置されており、前記連動棒と前記歯止めとの間が連動紐によって接続され、前記てこチャンバの中にはてこが設置されており、前記てこの底端には下スライド溝が設置されており、前記下スライド溝の中には下リンクが設置されており、前記リンクと前記下スライド溝の頂壁の間には第三撥条が弾性的に設置されており、前記下リンクと前記連動棒とヒンジで接続され、前記てこの頂端には上スライド溝が設置されており、前記上スライド溝の中には上リンクがスライドできるように設置されており、前記上リンクと前記上スライド溝の底壁との間には第四撥条が弾性的に設置されており、前記てこチャンバの前壁の中には押さえ溝が設置されており、前記押さえ溝の中にはボタンがスライドできるように設置されており、前記ボタンの後端には前記上リンクとヒンジで接続される横棒が設置されており、前記ボタンと前記押さえ溝の後壁との間には第五撥条が弾性的に設置され、
前記制御装置は前記力蓄え装置の位置エネルギーの解放と前記ポップアップ装置の作業状態を制御できることを特徴とする請求項１に記載のポップアップ式パッキング箱。
【手続補正２】
【補正対象書類名】明細書
【補正対象項目名】全文
【補正方法】変更
【補正の内容】
【発明の詳細な説明】
【技術分野】
【０００１】
本発明は物品包装分野を取り上げて、具体的にはポップアップ式パッキング箱である。
【背景技術】
【０００２】
パッキング箱は物品包装に使われ、日常生活には幅広く使われ、目前のパッキング箱には収納の機能しかなく、物品が自動的に飛び出せないため、物品を取るときには指をパッキング箱の中に差し込み、又はパッキング箱を反転させる必要があり、物品を取るのは面倒で、そのため、本発明の旨は物品を便利に取るパッキング箱を設計することである。
【先行技術文献】
【特許文献】
【０００３】
【特許文献１】中国特許出願公開第１０４４４３６２８号明細書
【発明の概要】
【発明が解決しようとする課題】
【０００４】
本発明の目的はポップアップ式パッキング箱を提供し、現有技術の上記の欠点を克服する。
【課題を解決するための手段】
【０００５】
本発明のポップアップ式パッキング箱は、箱を含み、前記箱の頂端には蓋が左右対称的に設置されており、前記箱の中には物置チャンバが設置されており、前記物置チャンバの中にはポップアップ装置が設置されており、前記物置チャンバの両側壁の中には動力チャンバが対称的に設置されており、前記動力チャンバの中には力蓄え装置が設置されており、左側を例として詳しく説する：前記物置チャンバの前壁にはてこチャンバが設置されており、前記てこチャンバの中には制御装置が設置されており、前記力蓄え装置は前記動力チャンバの中に設置される心棒を含み、前記心棒の後端と前記蓋とが固定的に接続され、前記心棒の前端にはメイン歯車が設置されており、前記動力チャンバの中には上軸が設置されており、前記上軸の後端には前記メイン歯車と噛み合う従動歯車が設置されており、前記上軸の前端にはメインプーリが設置されており、前記動力チャンバの中には下軸が設置されており、前記下軸の前端には従プーリが設置されており、前記従プーリと前記メインプーリの間にはベルトが伝動できるように設置されており、前記下軸の後端には前傘歯車が設置されており、前記動力チャンバの右壁の中には転換チャンバが設置されており、前記転換チャンバの中には同期軸が設置されており、前記同期軸の左端には前記前傘歯車と噛み合う後傘歯車が設置されており、前記同期軸の外壁には下歯車が設置されており、前記転換チャンバの中には右軸が設置されており、前記右軸の外壁には前記下歯車と噛み合う上歯車が設置されており、前記右軸と前記転換チャンバの内壁の間には力蓄え撥条が弾性的に設置されている。
【０００６】
更なる技術方案、前記ポップアップ装置は前記転換チャンバの左壁に設置される加速チャンバを含み、前記加速チャンバの中の前記右軸の左端には内リングギアが設置されており、前記加速チャンバの中には左軸が設置されており、前記左軸の右端には太陽歯車が設置されており、前記太陽歯車と前記内リングギアとの間には遊星歯車が伝動できるように設置されており、前記左軸の左端にはメイン傘歯車が設置されており、前記物置チャンバの中にはネジボルトが設置されており、前記ネジボルトの底端には前記メイン傘歯車と噛み合う従傘歯車が設置されており、前記物置チャンバの中には前記ネジボルトと係合される昇降板がスライドできるように設置される。
【０００７】
更なる技術方案、前記制御装置は前記右軸の外壁に設置されるラチェットを含み、前記転換チャンバの中には前記ラチェットと係合される歯止めが設置されており、前記歯止めと前記転換チャンバの頂壁との間には第一撥条が弾性的に設置されており、前記てこチャンバの中には連動棒がスライドできるように設置されており、前記連動棒と前記てこチャンバの前壁との間には第二撥条が弾性的に設置されており、前記連動棒と前記歯止めとの間が連動紐によって接続され、前記てこチャンバの中にはてこが設置されており、前記てこの底端には下スライド溝が設置されており、前記下スライド溝の中には下リンクが設置されており、前記リンクと前記下スライド溝の頂壁の間には第三撥条が弾性的に設置されており、前記下リンクと前記連動棒とヒンジで接続され、前記てこの頂端には上スライド溝が設置されており、前記上スライド溝の中には上リンクがスライドできるように設置されており、前記上リンクと前記上スライド溝の底壁との間には第四撥条が弾性的に設置されており、前記てこチャンバの前壁の中には押さえ溝が設置されており、前記押さえ溝の中にはボタンがスライドできるように設置されており、前記ボタンの後端には前記上リンクとヒンジで接続される横棒が設置されており、前記ボタンと前記押さえ溝の後壁との間には第五撥条が弾性的に設置され、
前記制御装置は前記力蓄え装置の位置エネルギーの解放と前記ポップアップ装置の作業状態を制御できる。
【発明の効果】
【０００８】
本発明の有益な効果は下記の通りである：
【０００９】
本発明は結構が簡単で、操作に便利で、メンテナンスに便利で、生産に便利、且つこの設備は機械的エネルギーを位置エネルギーに転換させて蓄え、自動的に物品を飛び出させ、物品を便利に取り出し、だからこの設備は高い使用と広がる価値がある。
【図面の簡単な説明】
【００１０】
発明実施例或いは現有技術中の技術構想をもっとはっきり説明するため、以下は実施例或いは現有技術の描写に使用される付図に対して簡単なる紹介する。
【図１】図１は本発明のポップアップ式パッキング箱の全体構成模式図
【図２】図２は図１のＡ−Ａの構成模式図
【図３】図３は図１のＢの構成模式図
【図４】図４は図１のＣの構成模式図
【図５】図５は図１のＤの構成模式図
【図６】図６は図２のＥの構成模式図
【図７】図７は図２のＦの構成模式図
【発明を実施するための形態】
【００１１】
以下、上記の図について本発明を詳しく説明し、便利に叙述するように、現在は後文に出る方位を下記の通りに規定する：後文に出る上下左右前後方向は図１本体の投影関係の上下左右前後方向と一致する。
【００１２】
図１−７に示すように、本発明のポップアップ式パッキング箱は、箱１３を含み、前記箱１３の頂端には蓋１１が左右対称的に設置されており、前記箱１３の中には物置チャンバ１２が設置されており、前記物置チャンバ１２の中にはポップアップ装置１００が設置されており、前記物置チャンバ１２の両側壁の中には動力チャンバ２１が対称的に設置されており、前記動力チャンバ２１の中には力蓄え装置２００が設置されており、左側を例として詳しく説する：前記物置チャンバ１２の前壁にはてこチャンバ４３が設置されており、前記てこチャンバ４３の中には制御装置３００が設置されており、前記力蓄え装置２００は前記動力チャンバ２１の中に設置される心棒１６を含み、前記心棒１６の後端と前記蓋１１とが固定的に接続され、前記心棒１６の前端にはメイン歯車１７が設置されており、前記動力チャンバ２１の中には上軸２０が設置されており、前記上軸２０の後端には前記メイン歯車１７と噛み合う従動歯車１８が設置されており、前記上軸２０の前端にはメインプーリ１９が設置されており、前記動力チャンバ２１の中には下軸２５が設置されており、前記下軸２５の前端には従プーリ２４が設置されており、前記従プーリ２４と前記メインプーリ１９の間にはベルト２２が伝動できるように設置されており、前記下軸２５の後端には前傘歯車２３が設置されており、前記動力チャンバ２１の右壁の中には転換チャンバ３９が設置されており、前記転換チャンバ３９の中には同期軸２７が設置されており、前記同期軸２７の左端には前記前傘歯車２３と噛み合う後傘歯車２６が設置されており、前記同期軸２７の外壁には下歯車４１が設置されており、前記転換チャンバ３９の中には右軸３２が設置されており、前記右軸３２の外壁には前記下歯車４１と噛み合う上歯車４０が設置されており、前記右軸２１と前記転換チャンバ３９の内壁の間には力蓄え撥条３６が弾性的に設置されている。
【００１３】
有益なように、前記ポップアップ装置１００は前記転換チャンバ３９の左壁に設置される加速チャンバ２８を含み、前記加速チャンバ２８の中の前記右軸３２の左端には内リングギア２９が設置されており、前記加速チャンバ２８の中には左軸３３が設置されており、前記左軸３３の右端には太陽歯車３１が設置されており、前記太陽歯車３１と前記内リングギア２９との間には遊星歯車３０が伝動できるように設置されており、前記左軸３３の左端にはメイン傘歯車３４が設置されており、前記物置チャンバ１２の中にはネジボルト１４が設置されており、前記ネジボルト１４の底端には前記メイン傘歯車３４と噛み合う従傘歯車３５が設置されており、前記物置チャンバ１２の中には前記ネジボルト１４と係合される昇降板１５がスライドできるように設置される。
【００１４】
有益なように、前記制御装置３００は前記右軸３２の外壁に設置されるラチェット３７を含み、前記転換チャンバ３９の中には前記ラチェット３７と係合される歯止め３８が設置されており、前記歯止め３８と前記転換チャンバ３９の頂壁との間には第一撥条４９が弾性的に設置されており、前記てこチャンバ４３の中には連動棒４２がスライドできるように設置されており、前記連動棒４２と前記てこチャンバ４３の前壁との間には第二撥条５７が弾性的に設置されており、前記連動棒４２と前記歯止め３８との間が連動紐４８によって接続され、前記てこチャンバ４３の中にはてこ４５が設置されており、前記てこ４５の底端には下スライド溝４６が設置されており、前記下スライド溝４６の中には下リンク４４が設置されており、前記リンク４４と前記下スライド溝４６の頂壁の間には第三撥条４７が弾性的に設置されており、前記下リンク４４と前記連動棒４２とヒンジで接続され、前記てこ４５の頂端には上スライド溝５０が設置されており、前記上スライド溝５０の中には上リンク５６がスライドできるように設置されており、前記上リンク５６と前記上スライド溝５０の底壁との間には第四撥条５１が弾性的に設置されており、前記てこチャンバ４３の前壁の中には押さえ溝５４が設置されており、前記押さえ溝５４の中にはボタン５５がスライドできるように設置されており、前記ボタン５５の後端には前記上リンク５６とヒンジで接続される横棒５２が設置されており、前記ボタン５５と前記押さえ溝５４の後壁との間には第五撥条５３が弾性的に設置され、
前記制御装置３００は前記力蓄え装置２００の位置エネルギーの解放と前記ポップアップ装置１００の作業状態を制御できる。
【００１５】
初期状態の時、左右両側の蓋１１が係合され、蓋１１とボタン５５とが係合され、力蓄え撥条３６の位置エネルギーが解放されていない。
【００１６】
物品を取り出す時、ボタン５５を押し動かして後ろへスライドさせ、更に第五撥条５３と、上リンク５６と、てこ４５と、下リンク４４と、連動棒４２と、連動紐４８によって歯止め３８を上へスライド連動させてラチェット３７との係合から離脱させ、力蓄え撥条３６の位置エネルギーが解放し右軸３２を回転連動させ、右軸３２は上歯車４０と、下歯車４１と、同期軸２７と、後傘歯車２６と、前傘歯車２３と、下軸２５と、従プーリ２４と、メインプーリ１９と、上軸２０と、従歯車１８と、メイン歯車１７と、心棒１６によって蓋１１を回転連動させ、左右両側の蓋１１が係合から離脱し、パッキング箱が開き、同時に、右軸３２は内リンクギア２９と、遊星歯車３０と、太陽歯車３１と、左軸３３と、メイン傘歯車３４と、従傘歯車３５と、ネジボルト１４とによって昇降板１５を上へスライド連動させ、パッキング箱に置かれる物品を伸び出す；物品を収納するとき、蓋１１を回転させて心棒１６を回転連動させ、メイン歯車１７と、従歯車１８と、上軸２０と、メインプーリ１９と、従プーリ２４と、下軸２５と、前傘歯車２３と、後傘歯車２６と、同期軸２７下歯車４１と、上歯車４０と、右軸３２と、内リングギア２９と、遊星歯車３０と、太陽歯車３１と、左軸３３と、メイン傘歯車３４と、従傘歯車３５と、ネジボルト１４によって昇降板１５を下へスライド連動させ、同時に、力蓄え撥条３６の弾性位置エネルギーを増やし、左右両側の蓋１１が係合され、パッキング箱が閉まる。
【００１７】
以上は、発明の具体実施方式だけであり、ところが、発明の保護範囲はこれには限らない、創造性労働のない考えた変化や入替えは、発明の保護範囲の中に含むべき、だから、発明の保護範囲は特許文献が限定する保護範囲に准するべきである。